(57)【特許請求の範囲】
【請求項１】
軸体と、表皮体とからなり、六面体をなす構造物において、
前記軸体が、前記六面体の少なくとも４つの稜線部に、垂直且つ平行に並ぶように、一体に結合されて配され、
自己付着性を有するストレッチフィルムが、垂直に配された４つの前記軸体を一連に囲み、前記六面体の周りを水平に一周する周面と、前記軸体を水平とさせた状態の六面体において、前記軸体を水平状態とさせる前の前記六面体の天面と底面を含んだ前記六面体の周りを一周する周面との、前記六面体の３軸方向のうちの、少なくとも２軸方向の周面に、夫々連続して巻き回されて、前記表皮体をなし、
前記六面体の全ての周面が、自己付着性により一体化された前記ストレッチフィルムに囲まれている、
ことを特徴とする構造物。
【請求項２】
前記ストレッチフィルムが、前記六面体の３軸方向の全ての周面に巻き回されている、
ことを特徴とする請求項１に記載の構造物。
【請求項３】
前記六面体の３軸方向の周面のうち、少なくとも一つの方向の周面に、前記ストレッチフィルムが複層に巻きまわされて、複層をなす内層と外層の間に補助部材が配され、
前記補助部材が、前記六面体の内部を不可視とする物である、
ことを特徴とする請求項１又は請求項２に記載の構造物。
【請求項４】
前記六面体の大きさが、人を内部に収容させる大きさとされ、
前記軸体の長さが、前記軸体を直立させた状態で、前記軸体の先端に人の手が届く長さとされ、
前記六面体の接地面から所定の高さが、隙間なく前記ストレッチフィルムで巻かれている、
ことを特徴とする請求項１乃至請求項３のいずれか一項に記載の構造物。
【請求項５】
前記軸体の先方側又は基方側をなす前記六面体の面のうちの少なくとも一方の前記面が、前記軸体の方向に対して傾斜された傾斜面とされている、
ことを特徴とする請求項１乃至請求項４のいずれか一項に記載の構造物。
【請求項６】
前記傾斜面を天面とし、底面から最も近い傾斜面の位置の下方に、
天面から垂れる雨水を貯留させる貯水手段を備えている、
ことを特徴とする請求項５に記載の構造物。
【請求項７】
前記軸体と前記ストレッチフィルムのうち、少なくとも前記ストレッチフィルムが生分解性素材からなっている、
ことを特徴とする請求項１乃至請求項６のいずれか一項に記載の構造物。
【請求項８】
軸体とストレッチフィルムとからなる構造物形成方法において、
複数の軸体を、六面体の少なくとも４つの稜線部に平行に並ぶように、一体に結合させて配設し、枠体を組み立てる第１工程と、
前記六面体の３軸方向のうち、前記４つの稜線部に平行に並んだ軸体を一連に囲んだ前記六面体を一周する周面に、自己付着性を有するストレッチフィルムを巻き回す第２工程と、
前記枠体を横倒させる第３工程と、
更に、横倒させた枠体がなす六面体のうち開放面となっている向い合う一対の周面を含んだ前記六面体を一周する周面に、自己付着性を有するストレッチフィルムを巻き回す第４工程と、を含み、
前記六面体の全ての周面が前記ストレッチフィルムに囲まれている構造物を形成させる、
ことを特徴とする構造物形成方法。
【発明の詳細な説明】
【技術分野】
【０００１】
本発明は、自己付着性を有するストレッチフィルムにより周囲が囲まれた六面体をなす構造物及び構造物形成方法に関する。詳細には、少なくとも４つの稜線部に軸体が平行に並んだ六面体において、少なくとも軸体の周囲方向と、直交する方向とにストレッチフィルムが巻き回されている構造物に関する。
【０００２】
より詳細には、六面体の大きさが、人を収容できる大きさであり、ストレッチフィルムが生分解性素材からなり、自己付着作用により一体化されている構造物であり、更には接地面から所定の高さは外部との貫通孔がない構造物及び構造物形成方法に関する。
【背景技術】
【０００３】
ＵＮＨＣＲ（国連難民高等弁務官事務所）によれば、２０２０年末時点において、全世界人口の１％は、紛争等により故郷を追われた難民であるといわれている。こうした難民又は災害等により一時的な滞在場所を必要とする人に、簡易、安価且つ早く構築できる雨風が凌げる構造物が必要とされている。
【０００４】
また、石油資源の大量消費に伴う温暖化ガスの発生により異常気象が頻繁に発生すると共に、プラスチック廃材が微細化されたマイクロプラスチックにより、海洋生物の生息環境が悪化している。本発明は、持続化可能社会を実現しつつ、多くの一時的な滞在場所を必要とする人々に、雨露が凌げる構造物を少しでも簡易に、安価且つ早く提供することを目的としてなされた。
【０００５】
特許文献１には、本願の発明者による、簡単に且つ早く構築できる構造物に関する技術が開示されている。この技術は、ナイロン等の樹脂材料のシートからなる薄膜体の内面に、ウレタン樹脂やスチロール樹脂の発泡材を吹き付けて一体化させた構造体である。具体的には、予め薄膜体の内部を加圧して膨らんだ状態とし、その内面にウレタン樹脂等を発泡・吹付けて硬化させた殻体である。
【０００６】
この発明によれば、簡単に且つ早く構造体としての殻体が形成できるが、石油を原材料とする発泡樹脂剤は、殻体を廃棄した後に石油系素材に戻すには手間がかかり、石油系素材に戻して再利用するようにしなければ、長期間に亘って分解されず、自然界に樹脂系の残存物を発生させるという課題があった。
【０００７】
特許文献２には、建設現場での実際の使用に耐え得る、柔軟性や強度についても良好な特性を有するとする生分解性シートの技術が開示されている。この技術によれば、建設現場でのシートの取り扱い性を良好にすべく、その弾性率が低くされている。弾性率が低く伸縮性がないために、シート同士を重ね合わせても、ファンデルワールス力による密着作用、静電気結合による密着作用、減圧吸着作用等による自己付着作用がえられにくいという課題があった。
【０００８】
非特許文献１には、四角錐形状に木軸材を組み立てて、その外周に沿って水平に、ストレッチフィルムを下方から上方に至るように巻きまわして、屋根を設けたキャンプテントの技術が開示されている。この技術によれば、キャンプの後はストレッチフィルムを取り外して持ち帰れば、現地にストレッチフィルムのゴミは残さないが、別の場所でのストレッチフィルムの廃棄処理は必要であった。
【０００９】
土に接する底面についてはストレッチフィルムを張ることができないため、テント内で腰かけて過ごすか、又は、水に濡れないようにするために、地面から上げた床を形成させる必要があるという課題があった。構造物の周囲に水溜まりができるような降雨時には、テント内に水が浸水することを防止することができないという課題があった。
【００１０】
非特許文献２には、土に掘立て孔を掘り、その孔に木軸柱を立てて、複数の木軸柱の頂部に木軸梁を紐で結び付け、六面体をなす枠体の天面に屋根としてのテント材を載せて、木軸柱の周囲にストレッチフィルムを水平に巻き回して、下方から天面までを包んでテントとした技術が開示されている。この技術によっても、壁の周囲に防水処置をしておかなければ、水溜まりができるような降雨時には、テント内に雨水が浸水するという課題があった。
【００１１】
一方、持続可能な社会の実現に向けて、樹脂系のごみを発生させないため、各種の生分解性プラスチックが開発されている。生分解性プラスチックとは、トウモロコシ等の再生可能な植物資源を原料とし、使用中は石油樹脂系プラスチックと同様に使えると共に、廃棄した際には自然界の微生物によって大部分が水と炭酸ガスに分解されるプラスチックをいう。
【００１２】
本願の発明者は、生分解性プラスチックを使ったストレッチフィルムでも自己付着作用があり、それを活用して、構造物の全周囲を覆うことに想到した。まず、軸材が六面体の各辺部をなす枠体を組み立てておいて、その枠体を横倒しする工程を経て、枠体の外周面に順に３方向にストレッチフィルムを水平に巻き回して、一体化された構造物とすることにした。
【００１３】
まず、ストレッチフィルムを水平方向に巻き回して、ストレッチフィルムの自己付着作用により、一体化された外壁面を形成させる。更に、その枠体を横倒させた状態の外壁面の位置に、ストレッチフィルムを水平方向に巻き回せば、枠体の外面に一体化された天井・壁・床を形成させられることを見出し本願に至った。
【先行技術文献】
【特許文献】
【００１４】
【特許文献１】特開２０１８−１６８６０６号
【特許文献２】特開２００７−２２４１１５号
【非特許文献】
【００１５】
【非特許文献１】https://www.youtube.com/watch?v=b-vZmfmeNbY&t=236s
【非特許文献２】https://www.youtube.com/watch?v=CcajKRmEWn8&t=184s
【発明の概要】
【発明が解決しようとする課題】
【００１６】
本発明は、ロール状に巻かれて取り扱いが容易なストレッチフィルムと、構造物を構築する場所で容易に入手できる軸体とから、容易、安価且つ早く構築できる、雨風から凌ぐことができる大きさの人の収容空間をなす構造物及びその構造物形成方法を提供することを課題とした。
【００１７】
具体的には、予め六面体をなす枠体を組み立てておき、その外周の一方向に自己付着性を有するストレッチフィルムを巻き回してから枠体を横倒させて、前記と異なる方向の外周にストレッチフィルムを巻き回すことを繰り返し、外周面全体にストレッチフィルムを一体化させた表皮体を構成させることを特徴としている。
【課題を解決するための手段】
【００１８】
本発明の第１の発明は、軸体と、表皮体とからなり、六面体をなす構造物において、前記軸体が、前記六面体の少なくとも４つの稜線部に、垂直且つ平行に並ぶように、一体に結合されて配され、自己付着性を有するストレッチフィルムが、垂直に配された４つの前記軸体を一連に囲み、前記六面体の周りを水平に一周する周面と、前記軸体を水平とさせた状態の六面体において、前記軸体を水平状態とさせる前の前記六面体の天面と底面を含んだ前記六面体の周りを一周する周面との、前記六面体の３軸方向のうちの、少なくとも２軸方向の周面に、夫々連続して巻き回されて、前記表皮体をなし、前記六面体の全ての周面が、自己付着性により一体化された前記ストレッチフィルムに囲まれていることを特徴としている。
【００１９】
軸体は六面体の稜線部の全てに配設されてもよく、側面視「ロ」字形状の枠を、中央で交差させて４つの稜線部に軸体が平行に並ぶように配設させてもよく、軸体が構成された枠体の形状・構成は限定されない。軸体の材質は、間伐材による軸体や樹木の小枝、廃棄した後には、大部分が水と炭酸ガスに分解される生分解性を有する素材が好適であるが、生分解性素材が入手困難な地域では、構築場所で入手できる、金属軸体、樹脂軸体等の筋状に伸びる素材等であってもよい。
【００２０】
ストレッチフィルムは、主として冷蔵食材を保存するために、厚さ６μｍから１５μｍ、幅３０ｃｍから１ｍ、長さ５０ｍから１０００ｍのものまでの各種が、ロール状の形態で流通している。その材質は、主として低密度ポリエチレンからなる樹脂フィルムであり、フィルム同士又はフィルムと平滑な食器とが、フィルムの自己付着性により付着・剥離可能な素材とされている。
【００２１】
ストレッチフィルムは、自己付着性を有し、ロール状の形態とされたストレッチフィルムであればよく、トウモロコシ等の植物由来のデンプンを素材とした生分解性素材からなるのが好適であるが、石油系素材の樹脂フィルムであってもよく、素材は限定されない。ストレッチフィルムが、６面体の向い合う三対の面のうち、少なくとも二対の向い合う面に、夫々連続して巻き回されればよく、巻き回す回数も限定されず、幅が広いストレッチフィルムの方が、フィルムを巻く周回数が少ないのは勿論であり、作業が早くより簡易に構築でき好適である。
【００２２】
軸体の周囲がなす一対の面と、軸体に沿った方向をなす二対の向い合う面の、六面体の全ての面にストレッチフィルムが巻き回されれば好適であるが、少なくとも六面体の二方向に、ストレッチフィルムが表皮体として巻き回されれば、表皮体により六面体の内側空間と外とを区画することができる。表皮体がストレッチフィルムであるため、カッター等により出入口、換気孔等を容易に形成することができる。
【００２３】
第１の発明によれば、少ない種類の材料により全周囲が囲まれた簡易な構造物とされており、空気孔、出入口等の加工も容易であり、脚立等の建設機材を必要としないで、容易、安価且つ早く、人を収容させる収容体が提供できるという従来技術にはない有利な効果を奏する。特に、感染症の蔓延期において、緊急患者用の収容体とするに好適である。
【００２４】
本発明の第２の発明は、第１の発明の構造体において、前記ストレッチフィルムが、前記六面体の３軸方向の全ての周面に巻き回されていることを特徴としている。第２の発明によれば、六面体の全ての周面に、交差するように少なくとも２回ずつストレッチフィルムが巻き回される。ストレッチフィルムが異なる方向に重ねて巻かれているため、構造物の表皮体に隙間が空きにくく、強度に優れ、破断しにくいという効果を奏する。
【００２５】
本発明の第３の発明は、第１又は第２の発明の構造体において、前記六面体の３軸方向の周面のうち、少なくとも一つの方向の周面に、前記ストレッチフィルムが複層に巻きまわされて、複層をなす内層と外層の間に補助部材が配され、前記補助部材が、前記六面体の内部を不可視とする物であることを特徴としている。
【００２６】
補助部材の素材は、生分解性の素材であることが好適であるが限定されない。大きさ・形状は、例えばスキー板等を包装する長尺の袋体が好適であるが限定されず、ゴミ袋、買い物袋の大きさ・形状であってもよい。隙間をあけて袋体を並べれば、補助部材がない部分を採光部とすることができる。
【００２７】
内層のストレッチフィルムを巻き回した後に、長尺の形態とした袋体を屋根面から周囲に垂らして、外周にストレッチフィルムを巻き回してもよく、下方から順に、袋体をストレッチフィルムに挟み込みながら、外周にストレッチフィルムを巻き回してもよい。
【００２８】
第３の発明によれば、補助部材により、外から構造物の内部を見えなくすることもでき、断熱性・防音性も付与することができ、人の収容体としての快適性が増すと共に、プライバシーを保持することができるようになる。
【００２９】
本発明の第４の発明は、第１から第３の発明の構造体において、前記六面体の大きさが、人を内部に収容させる大きさとされ、前記軸体の長さが、前記軸体を直立させた状態で、前記軸体の先端に人の手が届く長さとされ、前記六面体の接地面から所定の高さが、隙間なく前記ストレッチフィルムで巻かれていることを特徴としている。
【００３０】
軸体の長さが、その先端に人の手が届く長さである、約１．８ｍから２．０ｍとされれば、軸体の周囲にストレッチフィルムを巻く作業が可能且つ容易であるだけでなく、一人の作業員で作業する場合でも、脚立等の建設機材を使わないでもよい。所定の高さとは、人が容易に跨ぐことができる高さであればよい。
【００３１】
また、水が溜まりにくい深さの、例えば約２０ｃｍの高さを所定の高さに設定し、３つの方向ともにストレッチフィルムを隙間なく巻いた状態としておけば、外部を流れる雨水が浸入することがない。第４の発明によれば、足場や脚立等がなくても、人を収容できると共に水が浸入しない収容体が、容易、安価且つ早く提供されるという効果を奏する。
【００３２】
本発明の第５の発明は、第１から第４の発明の構造体において、前記軸体の先方側又は基方側をなす前記六面体の面のうちの少なくとも一方の前記面が、前記軸体の方向に対して傾斜された傾斜面とされていることを特徴としている。
【００３３】
第５の発明では、少なくとも一つの面が傾斜面とされている。傾斜面を天面とすれば、構造体を屋外に設置しても、屋根面が傾斜されているため、雨水が屋根面に沿って下方に排水される。降雨時に天面に雨水が溜まって、ストレッチフィルムが垂れ下がり大きな荷重がかかることがなく、屋外においても長期的な使用に耐えるという効果を奏する。
【００３４】
本発明の第６の発明は、第５の発明の構造体において、前記傾斜面を天面とし、底面から最も近い傾斜面の位置の下方に、天面から垂れる雨水を貯留させる貯水手段を備えていることを特徴としている。第６の発明では、最も低い傾斜面の位置の下方に、貯水手段が設けられているため、水道施設がない場所においても、人が使う仮設構造物として機能される。
【００３５】
貯水手段は、木軸で形成された桝の外面にストレッチフィルムを張ったものが好適であるが限定されず、現地で入手できる水槽や、凹部をなすように土を盛り上げる等して桝とし、その表面にストレッチフィルムを張ったものであってもよい。降雨が少ない時期、地域においても、雨水を水資源として有効に活用することができ、人の生活維持に寄与するという効果を奏する。
【００３６】
本発明の第７の発明は、第１から第６の発明の構造体において、前記軸体と前記ストレッチフィルムのうち、少なくとも前記ストレッチフィルムが生分解性素材からなっていることを特徴としている。第７の発明では、ストレッチフィルムが生分解性素材であることにより、現地において構造物を廃棄する場合でも、地球環境を害する負荷を増加させず、持続可能化及びマイクロプラスチックの抑制に寄与するという効果を奏する。
【００３７】
本発明の第８の発明は、軸体とストレッチフィルムとからなる構造物形成方法において、複数の軸体を、六面体の少なくとも４つの稜線部に平行に並ぶように、一体に結合させて配設し、枠体を組み立てる第１工程と、前記六面体の３軸方向のうち、前記４つの稜線部に平行に並んだ軸体を一連に囲んだ前記六面体を一周する周面に、自己付着性を有するストレッチフィルムを巻き回す第２工程と、前記枠体を横倒させる第３工程と、更に、横倒させた枠体がなす六面体のうち開放面となっている向い合う一対の周面を含んだ前記六面体を一周する周面に、自己付着性を有するストレッチフィルムを巻き回す第４工程と、を含み、前記六面体の全ての周面が前記ストレッチフィルムに囲まれている構造物を形成させることを特徴としている。
【００３８】
まず、第１工程で六面体をなす４つの軸体が平行に並ぶように枠体を組み立てる。第２工程としては、２種類の方法を選択することができる。第１の方法としては、枠体の周りに、水平にストレッチフィルムを連続して巻き回す方法である。第２の方法としては、水平に広く一体にして敷き並べたストレッチフィルムの上を枠体を転がすようにして、連続して巻き回す方法である。
【００３９】
第１の方法によれば、天面と底面とが開放された面となっているため、第３の工程で、枠体を横倒しして、天面と底面を側面の位置にして、第４の工程で天面と底面と２つの側面とに、水平にストレッチフィルムを巻き回せばよい。第２の方法によれば、枠体を転がした進行方向の両側面が、開放された面となる。そこで、第３の工程で、天面が開放された面となるように、枠体を横倒させて、第４の工程で、水平に広く一体にして敷き並べたストレッチフィルムの上を、天面と底面と２つの側面とにストレッチフィルムが巻き回されるように枠体を転がせばよい。
【００４０】
第４工程において、４つの面に巻き回されたストレッチフィルムは、第２工程において巻き回されたストレッチフィルムが巻かれた面と、ストレッチフィルムがまかれていない面に、交互に巻き回される。更に、横倒させて、繰り返してストレッチフィルムを巻き回してもよいことは勿論のことである。
【００４１】
第８の発明によれば、六面体を横倒させて、六面体の水平方向にストレッチフィルムを巻き回していくため、全周囲にストレッチフィルムを巻き回すことが容易であり、足場や建設機材を必要としないで、容易、安価且つ早く、人を収容させる収容体が提供できるという従来技術にはない有利な効果を奏する。
【発明の効果】
【００４２】
・本発明の第１の発明によれば、空気孔、出入口等の加工も容易であり、建設機材を必要としないで、容易、安価且つ早く、人を収容させる収容体が提供できるという従来技術にはない有利な効果を奏する。
・第２の発明によれば、ストレッチフィルムが異なる方向に重ねて巻かれているため、構造物の表皮体に隙間が空きにくく、強度に優れ、破断しにくいという効果を奏する。
・第３の発明によれば、外から構造物の内部を見えなくすることもでき、断熱性・防音性も付与することができ、人を収容する収容体の快適性が増すと共に、プライバシーを保持することができるようになる。
・第４の発明によれば、足場や脚立等がなくても、人を収容できると共に水が浸入しない収容体が、容易、安価且つ早く提供されるという効果を奏する。
【００４３】
・第５の発明によれば、傾斜面を天面とすれば、降雨時に天面に雨水が溜まって、大きな荷重がかかることがなく、屋外においても長期的な使用に耐えるという効果を奏する。
・第６の発明によれば、降雨が少ない時期、地域においても、水資源を有効に活用することができ、人の生活維持に寄与するという効果を奏する。
・第７の発明によれば、構造物を廃棄するときにも、地球環境を害する負荷を増加させず、持続可能化及びマイクロプラスチックの抑制に寄与するという効果を奏する。
・第８の発明によれば、全周囲にストレッチフィルムを巻き回すことが容易であり、足場や建設機材を必要としないで、容易、安価且つ早く、人を収容させる収容体が提供できるという従来技術にはない有利な効果を奏する。
【図面の簡単な説明】
【００４４】
【図１】ストレッチフィルムの巻き回し方法の説明図（実施例１）。
【図２】ストレッチフィルムの巻き回し方向の説明図（実施例１）。
【図３】構造物形成工程の説明図（実施例１）。
【図４】補助部材の添着と出入口を形成の説明図（実施例１）。
【図５】補助部材と出入口の断面図（実施例１）。
【図６】屋根を傾斜した構造体（実施例２）。
【図７】側面視「ロ」字の枠による構造体（実施例３）。
【図８】３連構造体の平面図（実施例４）。
【図９】４連構造体の説明図（実施例５）。
【発明を実施するための形態】
【実施例１】
【００４５】
実施例１では、人を収容する立方体をなす構造体１を、六面体をなす軸体１０と自己付着性を有するストレッチフィルム２０とから構成させた。図１はストレッチフィルム２０を巻き回す方法を示し、図２はストレッチフィルムの巻き回し方向を示し、図３は構造物形成工程を示している。図４は補助部材の添着と出入口の形成方法を示し、図５は補助部材と出入口の断面を示している。
【００４６】
図１を参照して、軸体１０にストレッチフィルム２０を巻き回す作業を説明する。実施例１の構造体１は、立方体の稜線をなす位置に木軸が配され、端部が結合され一体化されている。端部の結合は、釘打ちされてもよく、紐で結束されてもよい。軸体１０が一体化され、枠体として自立された状態で、ロール状とされたストレッチフィルム２０が、枠体の周りに、作業員が枠体の周囲を移動しながら、水平に下方から上方に（図１白抜き矢印参照）連続して巻き回される。
【００４７】
ストレッチフィルム２０の幅は限定されず、ストレッチフィルム２０が、側縁を約５ｃｍ重ね合わせた状態で巻き回されると、重ね合わせた部分がストレッチフィルム２０の自己付着性により付着され、側面全体に一体化された表皮体が形成される。
【００４８】
ここで、図２を参照して、ストレッチフィルム２０を巻き回す３軸方向について説明する。図２実線で示された軸体３０からなる立方体を直立させた状態とし、水平面方向をなす一つの方向（図２実線Ａ矢印参照）と、水平面に交差する六面体をなす二つの方向（図２破線Ｂ矢印，一点鎖線Ｃ矢印参照）とにストレッチフィルムが巻き回される。
【００４９】
Ａ矢印方向は必須とされ、Ｂ矢印方向とＣ矢印方向については、少なくともいずれかが選択されればよい。交差するＡ矢印，Ｂ矢印，Ｃ矢印の全ての方向に、ストレッチフィルム２０（図１参照）を巻き回せば、立方体の全ての面にストレッチフィルムが２回ずつ巻き回され、ストレッチフィルムが交差され、重ね合わされた状態となり、表皮体が強度に優れ、破断しにくくなる。
【００５０】
更に、重ね合わせの回数が増えると、重ね合わされるストレッチフィルムの皺により内部が透視しにくくなると共に、より強度に優れ、より破断しにくくなる。なお、立方体をなす軸体の端部を、別の端部と斜めに紐４０，４０・・で結束し（図２破線参照）、変形防止手段とすれば、枠体を横倒させるときにも、枠体が変形しにくく、横倒させる作業が容易である。
【００５１】
図３を参照して、枠体に、ストレッチフィルム２０を２方向に巻き回す２つの方法を説明する。まず、第１の工程として、予め軸体により、立方体の枠体を組んでおくことは、２つの方法において共通している。第１の方法の第２の工程は、直立させた枠体に水平にストレッチフィルム２０を、下方から上方に連続して、側縁部を重ねるようにして巻き進める（図３（Ａ）図参照）。
【００５２】
そして開放されていた天面５０と底面５１が側方になるように、Ｂ方向に横倒させ（図２破線Ｂ矢印、図３（Ｂ）図Ｂ矢印参照）、側面に位置された天面５０と底面５１とを覆うように、前記と同様にストレッチフィルムを巻き進める（図３（Ｃ）図参照）。この状態で、ストレッチフィルム２０に平行に巻き回された面と面との接線部分５２は、ストレッチフィルム２０が重なっていない隣り合った状態とされるが、二つの面に被るように、接線部分５２にストレッチフィルムを重ねれば（図を省略している）、立方体の内部空間と外とを完全に区画することができる。
【００５３】
同一形状の枠体に、ストレッチフィルム２０を巻き回す第２の方法を、図３（Ｄ）図を参照して簡単に説明する。予めストレッチフィルム２０を側端縁を重ねるように長く敷いておいて、その上を枠体を転がすようにして（図３Ｄ矢印参照）、枠体の周りにストレッチフィルムを巻き回す。そして、ストレッチフィルムが巻かれていない面が上になるように横倒させて、長く敷いたストレッチフィルムの上を、同様に転がすようにしてストレッチフィルムを６面体の全周囲に巻き回す。
【００５４】
図４、図５を参照して、ストレッチフィルム２０の外面に補助部材を添着させると共に出入口６５を形成させた構造体を説明する。補助部材は、長尺をなす袋体６１に、生分解性の素材、例えば木の葉を詰めたものが好適である。長尺の袋体が準備できない場合には、入手が容易なごみ袋、買い物袋６２等の角隅部６３を縛って連結させた長尺としてもよい。
【００５５】
ストレッチフィルム２０を巻き、直立させた構造体の外面に、出入口６５をなす部分の両脇に、縦方向に切開するための隙間６４をあけて、屋根面から袋体をぶら下げ、又は直立させるように並べてから（図４（Ａ）図参照）、水平にストレッチフィルム２０を下方から上方に巻き回していく（図４（Ｂ）図参照）。全体にストレッチフィルムを巻き回した状態で、出入口６５をなす部分の両脇６６を切開する（図４（Ｃ）図参照）。
【００５６】
図５を参照して、出入口と連結させた袋体について説明する。図５（Ａ）図は、図４（Ｂ）図のＡ−Ａ位置の断面図を示している。図５（Ｂ）図は、買い物袋６２等の角隅部を縛った状態を示し、図４（Ａ）図のＢ部分の詳細図を示している。切開させた出入口６５の両脇６６は、切開部から内層と外層との間に挟み込んだ補助部材が脱落しないように切開した端部に、内層と外層のストレッチフィルムの端部を折り曲げて、その外面にストレッチフィルム２１を付着させている（図５（Ａ）図参照）。
【００５７】
図５（Ｂ）図は、下方の買い物袋の手掛け部分６７と、上方の買い物袋の下隅部分６８とを縛り合わせた状態を示している。買物袋を縛り合わせても下方の買い物袋の投入口６９は開放されたままである。この投入口６９から生分解性をなす物が投入されてから投入口が閉じられる。生分解性をなす物が投入されてから構造体に垂れ下げられてもよく、構造体に垂れ下げてから生分解性をなす物が投入されてもよいことは勿論のことである。
【実施例２】
【００５８】
実施例２では、屋根面が傾斜面とされた構造体２を、図６を参照して簡単に説明する。図６は、屋根面が傾斜面７１とされ、地面から最も近い位置の下方に貯水手段７０が設けられた構造体２の概要を示している。雨天時には、屋外に設置された構造体の屋根面に降った雨水は、屋根面の傾斜に沿って伝わって、壁面を伝って貯水手段７０をなす貯水槽に溜まる。貯水槽は、土を盛り上げた凹部に、ストレッチフィルムを張り込んで貯水槽とすればよい。
【実施例３】
【００５９】
実施例３では、図７を参照して、側面視「ロ」字形状をなす枠８０，８０を交差させて、六面体をなす４つの稜線部に平行に軸体８１を並ばせた構造体３を説明する。予め同一形状に構成させた２つの「ロ」字形状の枠８０，８０を、外方の枠は水平部分を外に反らせて、内方の枠は水平部分を内に反らせて、内方の枠を外方の枠の中に挿し込み、交差した水平部分を紐８３等で結束させて枠体８２とさせる（図７（Ａ）図参照）。
【００６０】
軸体８１を垂直に立てた状態で、水平にストレッチフィルム２０を下方から上方に（図７（Ｂ）図白抜矢印参照）巻き回し、側面を表皮体で塞ぐ（図７（Ｂ）図参照）。そして天面８４と底面８５が側方となるように横倒させてから、水平にストレッチフィルム２０を下方から上方に（図７（Ｃ）図白抜矢印参照）連続して巻き回す。
【００６１】
この工程では、直立させた稜線部分８６（図７（Ａ）図一点鎖線参照）に軸体がないため、ストレッチフィルム２０が水平に巻き回され、稜線部分の中央部が緊張されて縮んだ状態となるため、構造体の形状は側面視で中央が窪んだ「鼓」の形状のようになる。この構造体の場合には、ストレッチフィルムを３方向に巻き回すことにより、稜線部の隙間が空いていない形態となり好適である。この構造体の場合には、軸体が交差していない面を床面とすると、人が滞在しやすい空間となる。
【実施例４】
【００６２】
実施例４では、ストレッチフィルムを巻き回した立方体形状の構造体１を横方向に３つ連ねて、感染症の患者の応急収容施設とした構造体４を説明する。立方体形状の構造体１は、先に説明した実施例による。構造体４は、構造体１を３つ連ねて、その外周に水平に、ストレッチフィルム２０を下方から上方に連続して巻き回している。ストレッチフィルム２０が連続して巻き回されることにより、３つの構造体は一体化される。
【００６３】
３つの構造体を一体化してから、中央の構造体の側面を切開して、人の出入口９０をあけ、中央の構造体の内部から、両隣の構造体との間の壁部分の表皮体９１を切開して切除する。３つの構造体の外周がストレッチフィルムで巻かれ一体にされているため、隣り合う部分の壁の表皮体９１が切除されても、形状は安定した状態となっている。
【００６４】
中央の構造体から人を出入りさせ、応急処置設備を備えさせ、両隣の構造体に感染症の感染者９２を収容するようにすれば、簡易、安価且つ早く、応急処理施設を提供することができる。ストレッチフィルム等を生分解性の素材を使った構造体としておけば、廃棄の際にも自然環境に負荷を生じさせない。
【実施例５】
【００６５】
実施例５では、ストレッチフィルムを巻き回した略立方体形状の構造体９３を水平に４つ連ねて、大きな平面とした構造体５を、図９を参照して説明する。図９（Ａ）図は平面図を示し、図９（Ｂ）図は断面図を示している。構造体５は、略立方体の構造体９３を水平方向に縦・横方向に２つずつ連ね、その外周に水平に、ストレッチフィルムを下方から上方に連続して巻き回している。ストレッチフィルムが連続して巻き回されることにより、４つの構造体が一体化されている。
【００６６】
構造体５は、平面において、中央部の軸体９４と、隣り合った表皮体９５とが切除されて、大きな空間とされている。構造体５をなす、個々の構造体９３は中央部の軸体９４を切除して撤去しても、屋根面が垂れ下がらないように、中央部の上方の重ね合わせ部を残存させるために、中央部の位置をなす軸体の長さが、他の３本の軸体よりも長くされている。
【００６７】
４つの構造体の軸体の長さが長い部分を中央部として接しさせ、周囲をストレッチフィルムで巻いて４つの構造体９３を一体化させておき、一つの構造体に出入口９６をあけ、個々の構造体の隣り合った表皮体９５を切除させて、４つの構造体が連なった広い空間とさせる。空間の内部において、周囲の壁の低い位置に合わせて中央部の軸体９４を切除させる。
【００６８】
そうすると、ストレッチフィルムの重ね合わせ部が一体化されたまま、垂れ壁状に残存するので、下方からストレッチフィルム９７を重ね合わせるように張り合わせて、ストレッチフィルムの自己付着力により補強して一体化させれば、中央部が垂れ下がることがなく好適である。
【００６９】
（その他）
・実施例に示した構造体は、単なる例示に過ぎず、難民が多い地区等においては、ロール状の生分解性ストレッチフィルムのみを現地に搬送して、現地で入手できる資材を軸体、補助部材とすればよい。
・実施例においては、幅が３０ｃｍから５０ｃｍの生分解性のストレッチフィルムを使った例を示したが、幅が広い生分解性のストレッチフィルムが開発されれば、それに応じて、巻き回し回数、作業手間が軽減されることは勿論のことである。また、重ね巻きの層数は限定されず、層数を多くすると、手間はかかるが、表皮体の強度が増すとともに、外部から内部が透視しにくくなり好適である。
・ストレッチフィルムが途切れた場合には、次のロール状のストレッチフィルムを巻き足せばよく、周囲に巻き回されるとは、通気用のスリットを空けて巻き回してもよいことは勿論のことである。
・今回開示された実施の形態はすべての点で例示であって、制限的なものではないと考えられるべきである。本発明の技術的範囲は、上記した説明に限られず特許請求の範囲によって示され、特許請求の範囲と均等などの意味および範囲内でのすべての変更が含まれることが意図される。
【符号の説明】
【００７０】
１，２，３，４，５…構造体、
１０，３０…軸体、２０…ストレッチフィルム、４０…紐、
５０…天面、５１…底面、５２…接線部分、６１…袋体、
６２…買い物袋、６３…角隅部、６５…出入口、６６…両脇、
６７…手掛け部分、６８…下隅部分、６９…投入口、
７０…貯水手段、７１…傾斜面、
８０…枠、８１…軸体、８３…紐、８４…天面、８５…底面、８６…稜線部分、
９０…出入口、９１…表皮体、９２…感染者、
９３…構造体、９４…軸体、９５…表皮体、９６…出入口、９７…ストレッチフィルム
【要約】      （修正有）【課題】ストレッチフィルムと、構造物を構築する場所で容易に入手できる軸体とから、容易、安価且つ早く構築できる、人の収容空間の周囲全体が囲まれ、人が雨風から凌ぐことができる構造物及びその構造物形成方法を提供する。【解決手段】予め六面体をなす枠体を組み立てておき、その外周の少なくとも２方向に、取り扱いが容易であると共に自己付着性を有するストレッチフィルム２０を巻き回して表皮体をなし、外周をなす表皮体がストレッチフィルム２０により囲まれ、一体となった構造体１とした。また、ストレッチフィルム２０を巻き回す工程の一つとして、枠体を横倒させる工程を含め、建設機材を必要としないで、容易、安価且つ早く枠体の全周囲にストレッチフィルム２０の表皮体が一体に形成できる構造物形成方法とした。【選択図】図３【図１】
0006981731.tif 000002
【図２】
0006981731.tif 000003
【図３】
0006981731.tif 000004
【図４】
0006981731.tif 000005
【図５】
0006981731.tif 000006
【図６】
0006981731.tif 000007
【図７】
0006981731.tif 000008
【図８】
0006981731.tif 000009
【図９】
0006981731.tif 000010